(57)【要約】      （修正有）【課題】二つの相手コネクタを選択的にガタがない状態で受け入れ、共用端子でいずれの相手コネクタと接続される電気コネクタを提供することを課題とする。【解決手段】ハウジング１０には、いずれの相手コネクタ２の端子とも接触可能な位置に接触部２１を配した共用端子２０が配列されており、嵌合口は、第一相手コネクタ２を受け入れる第一受入領域と第二相手コネクタを受け入れる第二受入領域とを有し、ハウジングには、弾性変位部４２の変位を許容する変位許容領域が第一受入領域外に形成され、上記第二受入領域が第一受入領域に内在しており、上記弾性変位部４２は、第一相手コネクタ２の受入時に、変位許容領域へ移動するように弾性変位し、第二相手コネクタの受入時には、第二相手コネクタに圧せられずに弾性変位せずもしくは少なくとも一部が第一受入領域に残留しつつ上記変位許容領域に向け移動する。【選択図】図１
2010182505.tif 000002
【特許請求の範囲】
【請求項１】
相手コネクタの嵌合部を受け入れるためにハウジングに開口形成された一つの嵌合口で、異なる外形をもつ二つの相手コネクタの嵌合部を選択的に受入可能とする電気コネクタにおいて、
上記ハウジングには、いずれの相手コネクタの端子とも接触可能な位置に接触部を配した共用端子が配列されており、
上記嵌合口は、コネクタ嵌合方向に対して直角な面にて、第一相手コネクタを受け入れる第一受入領域と第二相手コネクタを受け入れる第二受入領域とを有し、
上記ハウジングには、嵌合口内に設けられた弾性変位部の変位を許容する変位許容領域が該第一受入領域と連通する空間として第一受入領域外に形成され、
上記第二受入領域が第一受入領域に内在しており、
上記弾性変位部は、第一相手コネクタの受入時に、該第一相手コネクタに圧せられて変位許容領域へ移動するように弾性変位し、第二相手コネクタの受入時には、第二相手コネクタに圧せられずに弾性変位せずもしくは該第二相手コネクタに圧せられて少なくとも一部が第一受入領域に残留しつつ上記変位許容領域に向け移動するよう弾性変位することを特徴とする電気コネクタ。
【請求項２】
弾性変位部は、嵌合方向に対して直角な面上での一方向で、嵌合口の内壁面に向け変位可能となっていることとする請求項１に記載の電気コネクタ。
【請求項３】
弾性変位部は、嵌合方向の奥部へ向け変位可能となっていることとする請求項１に記載の電気コネクタ。
【請求項４】
弾性変位部は、ハウジングと一体的に形成されていることとする請求項２又は請求項３に記載の電気コネクタ。
【請求項５】
ハウジングはシールド板が取り付けられており、弾性変位部が該シールド板と一体に形成されていることとする請求項２又は請求項３に記載の電気コネクタ。
【請求項６】
弾性変位部は嵌合口奥部から開口へ向け腕状部をなして、延びており、該腕状部の縁部が他方の相手コネクタに対して当接可能な規制部を形成していることとする請求項１、請求項２、請求項４、請求項５のうちの一つに記載の電気コネクタ。
【請求項７】
弾性変位部は、奥部へ向け圧縮可能なコイルばねであることとする請求項３に記載の電気コネクタ。
【請求項８】
弾性変位部は、嵌合方向から見たときに、該弾性変位部の先端が嵌合口の開口範囲よりも外側に位置していることとする請求項６に記載の電気コネクタ。
【請求項９】
弾性変位部の腕状部がシールド板の一部として作られていて、規制部が該腕状部の板厚面で形成されていることとする請求項６に記載の電気コネクタ。
【請求項１０】
弾性変位部は、端子配列方向の両端側に設けられていることとする請求項１ないし請求項９のうちの一つに記載の電気コネクタ。
【発明の詳細な説明】
【技術分野】
【０００１】
本発明は、相手コネクタの嵌合部を受け入れるために形成された一つの嵌合口で異なる外形をもつ二つの相手コネクタの嵌合部を選択的に受入可能とする電気コネクタに関する。
【背景技術】
【０００２】
この種の電気コネクタとしては、特許文献１に開示されているコネクタが知られている。この特許文献１は、嵌合部が異なる外形となっている二つの相手コネクタを受入可能な嵌合口を有する電気コネクタを開示しており、上記嵌合口は、一方の相手コネクタの嵌合部に適合する輪郭と他方の相手コネクタの嵌合部に適合する輪郭とを重ねて得られる形の開口として形成されている。したがって、一方の輪郭と他方の輪郭は部分的に互いにはみ出す形をなしている。
【０００３】
このような嵌合口をもつ特許文献１のコネクタは、一方の輪郭と他方の輪郭が部分的に互いにはみ出して形成された空間に端子が配列されている。具体的には、上記空間は、嵌合口の上部と下部の二位置に形成されており、したがって、この二位置にそれぞれの相手コネクタの端子に対応する端子が配列されている。一方の相手コネクタが嵌合されたときは上部の端子と接続され、他方の相手コネクタが嵌合されたときには下部の端と接続される。
【先行技術文献】
【特許文献】
【０００４】
【特許文献１】特開平６−２４３９２２
【発明の概要】
【発明が解決しようとする課題】
【０００５】
しかしながら、特許文献１のコネクタにあっては、端子は二つの相手コネクタのそれぞれに対し専用に上部そして下部に配列されている。端子は多数をなして配列されることが多い。したがって、この特許文献１のコネクタでは、二つの相手コネクタに対して専用の端子を配列しているので、その分、部品点数が著しく増えるのみならず、コネクタ高となり、さらにはコネクタの大型化につながる。
【０００６】
これに対処すべく、二つの異なる相手コネクタの端子列が同位置にくるようにして両コネクタが嵌合できる嵌合口をコネクタのハウジングに形成し、この嵌合口内に共用端子を配列することも可能である。
【０００７】
しかし、この場合は、二つの異なる相手コネクタのいずれを嵌合したときであっても、嵌合口と相手コネクタとの間に、少なくとも部分的に離隔部位、すなわち空間が生じ、この空間でコネクタ同士はガタついてしまう。
【０００８】
本発明は、このような事情に鑑み、二つの異なる相手コネクタに対して端子が共用でき、いずれの相手コネクタとの間にもガタが生ずることなく嵌合することのできる電気コネクタを提供することを課題とする。
【課題を解決するための手段】
【０００９】
本発明に係る電気コネクタは、相手コネクタの嵌合部を受け入れるためにハウジングに開口形成された一つの嵌合口で、異なる外形をもつ二つの相手コネクタの嵌合部を選択的に受入可能とする。
【００１０】
かかる電気コネクタにおいて、本発明では、上記ハウジングには、いずれの相手コネクタの端子とも接触可能な位置に接触部を配した共用端子が配列されており、上記嵌合口は、コネクタ嵌合方向に対して直角な面にて、第一相手コネクタを受け入れる第一受入領域と第二相手コネクタを受け入れる第二受入領域とを有し、上記ハウジングには、嵌合口内に設けられた弾性変位部の変位を許容する変位許容領域が該第一受入領域と連通する空間として第一受入領域外に形成され、上記第二受入領域が第一受入領域に内在しており、上記弾性変位部は、第一相手コネクタの受入時に、該第一相手コネクタに圧せられて変位許容領域へ移動するように弾性変位し、第二相手コネクタの受入時には、第二相手コネクタに圧せられずに弾性変位せずもしくは該第二相手コネクタに圧せられて少なくとも一部が第一受入領域に残留しつつ上記変位許容領域に向け移動するよう弾性変位することを特徴としている。
【００１１】
このような構成の本発明によると、弾性変位部は、相手コネクタの嵌合部の嵌合を許容する空間を形成する内壁の一部をなし、第一相手コネクタそして第二相手コネクタの両者に対して、嵌合方向もしくは嵌合方向に直角な方向で規制を行なう。したがって、どちらのコネクタに対しても嵌合時にガタを生じない。
【００１２】
第一相手コネクタを受け入れる第一受入領域内に、第二相手コネクタを受け入れる第二受入領域が存在している。すなわち、第一相手コネクタの嵌合部の方が第二相手コネクタの嵌合部よりも大きい。
【００１３】
この大きい嵌合部をもつ第一相手コネクタを上記嵌合口へ嵌合すると、弾性変位部は該第一相手コネクタによって圧せられて嵌合方向もしくは嵌合方向に対して直角方向に変位し変位許容領域に入り込んだ状態で、上記第一相手コネクタの嵌合を許容しつつ位置規制する。
【００１４】
第二相手コネクタの嵌合の際には、弾性変位部は、弾性変位することなく第二相手コネクタの嵌合を許容する場合、あるいは、若干、すなわち第一相手コネクタの嵌合の場合よりも小さい量だけ弾性変位して該第二相手コネクタの嵌合を許容する場合とがある。
【００１５】
弾性変位部が弾性変位することなく第二相手コネクタの嵌合を許容する場合とは、弾性変位部が第二受入領域に近接してはいるが該第二受入領域外に配されている場合である。この場合は、コネクタ嵌合時に、第二相手コネクタは弾性変位部によって位置の規制はされるものの、該弾性変位部を圧しないので、該弾性変位部は何ら弾性変位しない。
【００１６】
次に、弾性変位部が若干弾性変位して第二相手コネクタの嵌合を許容する場合とは、コネクタ嵌合前の自由状態において、上記弾性変位部の一部が第二受入領域内に進入して位置している場合である。このような場合には、コネクタ嵌合時に上記弾性変位部の一部が第二相手コネクタに圧せられて、第二受入領域の限界位置まで弾性変位することとなり、この位置で第二相手コネクタの嵌合を許容すると共に位置規制する。
【００１７】
本発明において弾性変位部は、嵌合方向に対して直角な面上での一方向で、嵌合口の内壁面に向け変位可能、あるいは、嵌合方向の奥部へ向け変位可能となっているようにすることができる。どちらの方向に弾性変位させるかは、弾性変位部そしてその変位量のためのスペースがどちらの方向に確保できるか、コネクタに与えられた環境条件によって決定できる。
【００１８】
本発明において、弾性変位部は、ハウジングと一体的に、すなわちハウジングの一部として形成されているようにすることができる。この場合は、弾性変位部はハウジングに対して別部材でないので、その分、部品点数が減り、コネクタを低コストとすることができる。
【００１９】
一方、コネクタのハウジングにシールド板が取り付けられている場合には、弾性変位部が該シールド板と一体に形成されているようにすることができる。すなわち、弾性変位部をシールド板の一部として形成し、金属板の有している強度を十分に活用できる。また、弾性変位部自体は合成樹脂のハウジングの一部とするよりも、金属板で作った方が薄くできる分、小型化できる。
【００２０】
本発明において、弾性変位部が嵌合方向に対して直角な面上で一方向に変位する場合、弾性変位部は嵌合口奥部から開口へ向け腕状部をなして、延びており、該腕状部の縁部が他方の相手コネクタに対して当接可能な規制部を形成しているようにすることができる。こうすると、規制部は嵌合方向に長く形成することができるので、嵌合時、又は、平型導体が引っ張られて相手コネクタに不用意な力が加わっても、相手コネクタの姿勢が安定する。上記腕状部は、ハウジングの一部としても、あるいはシールド板の一部としても作ることができる。
【００２１】
また、弾性変位部が嵌合方向の奥部に向け変位する場合には、弾性変位部は、相手コネクタに圧せられて奥部へ向け圧縮可能なコイルばねとすることが可能である。
【００２２】
本発明において、弾性変位部は、嵌合方向から見たときに、該弾性変位部の先端が嵌合口の開口範囲よりも外側に位置していることが好ましい。こうすることにより、相手コネクタが上記先端に当接して弾性変位部に座屈をもたらすことがなく、相手コネクタは嵌合方向で上記先端よりも内方位置で上記弾性変位部と当接して、該弾性変位部を変位許容領域に向け圧するので、弾性変位部は円滑に変位する。
【００２３】
本発明において、弾性変位部の腕状部がシールド板の一部として作られている場合、規制部は該腕状部の板厚面で形成されているようにすることができる。こうすることにより規制時の強度が向上する。
【００２４】
本発明において、弾性変位部は、端子配列方向の両端側に設けられていることが望ましい。こうすることにより、相手コネクタはさらに安定した姿勢で嵌合がなされる。
【発明の効果】
【００２５】
本発明は、以上のように、二つの異なる相手コネクタに対し、端子を共用位置に配し、嵌合口に弾性変位部を配すことにより、一方の相手コネクタに対しては、弾性変位部の変位によって、そして他方の相手コネクタに対しては変位することなく自由状態であるいは若干の変位を伴う状態で、それぞれ嵌合許容空間形成の内壁の一部をなすようにしたので、端子数の増大防止によって低コストかつコネクタの小型化を図れ、いずれの相手コネクタとの嵌合時にもガタがない、という効果を得る。
【図面の簡単な説明】
【００２６】
【図１】本発明の第一実施形態のコネクタと第一相手コネクタの、嵌合前における、破断斜視図である。
【図２】図１のコネクタの凹部が形成する三つの領域を概念的に示す立体図である。
【図３】図１のコネクタのシールド板の拡大破断斜視図である。
【図４】図１のコネクタと相手コネクタとの嵌合前における、図１でのIV−IV位置における断面図で、（Ａ）は第一相手コネクタ、（Ｂ）は第二相手コネクタの場合を示す。
【図５】図４のコネクタと相手コネクタとの嵌合後における断面図で、（Ａ）は第一相手コネクタ、（Ｂ）は第二相手コネクタの場合を示す。
【図６】図４（Ａ）におけるコネクタと第一相手コネクタとの嵌合後における、図１でのVI−VI位置での断面図である。
【図７】図４（Ａ）におけるコネクタと第二相手コネクタとの嵌合後における、図６と同位置での断面図である。
【図８】図１のコネクタの平面断面図で、第一相手コネクタとの位置関係をも示し、（Ａ）は嵌合前、（Ｂ）は嵌合後を示す。
【図９】図１のコネクタの平面断面図で、第二相手コネクタとの位置関係をも示し、（Ａ）は嵌合前、（Ｂ）は嵌合後を示す。
【図１０】第二実施形態のコネクタの平面断面図で、第一相手コネクタとの位置関係をも示し、（Ａ）は嵌合前、（Ｂ）は嵌合後を示す。
【図１１】第二実施形態のコネクタの平面断面図で、第二相手コネクタとの位置関係をも示し、（Ａ）は嵌合前、（Ｂ）は嵌合後を示す。
【図１２】第三実施形態のコネクタの平面断面図で、第一相手コネクタとの位置関係をも示し、（Ａ）は嵌合前、（Ｂ）は嵌合後を示す。
【図１３】第三実施形態のコネクタの平面断面図で、第二相手コネクタとの位置関係をも示し、（Ａ）は嵌合前、（Ｂ）は嵌合後を示す。
【発明を実施するための形態】
【００２７】
以下、添付図面にもとづき、本発明の実施の形態について説明する。
【００２８】
＜第一実施形態＞
図１は、本実施形態のコネクタ１及びこれに嵌合される第一相手コネクタ２を、それらの嵌合前の状態で示す斜視図である。両コネクタ１，２共に端子の配列方向での中間部における端子位置での破断斜視図として、半部のみが示されている。本実施形態のコネクタ１は、上記第一相手コネクタ２に代え、図１に図示されていない第二相手コネクタ３（図４（Ｂ）参照）をも選択的に嵌合可能となっている。
【００２９】
本実施形態のコネクタ１は、電気絶縁材で作られているハウジング１０と、該ハウジング１０で支持されている金属製の端子２０と、上記ハウジング１０に取り付けられた金属板製のシールド板３０とを有している。
【００３０】
ハウジング１０は、図１に見られるように、外形が略直方体をなし、嵌合相手たる上記第一相手コネクタ２側に向け開口する凹部１１内に、島状をなして該凹部１１の奥部から該凹部１１の開口部側に向けて延びる端子配置部１２を有している。したがって、上記凹部１１は、島状の端子配列部１２の周囲を取り囲む形での空間を形成している。該凹部１１は、後述のごとく、第一相手コネクタ２の嵌合部を受け入れる第一受入領域、第二相手コネクタ３の嵌合部を受け入れる第二受入領域、そしてシールド板３０の一部である後述の弾性変位部（腕状部３４）のための変位許容域の三つの領域のために形成されている。
【００３１】
図２は、上記三つの領域Ｉ，II，IIIを形成する凹部１１の空間を便宜的に、外形づける二点鎖線で、概念的に示した立体図である。この空間を見る方向は、図１の場合と同様である。
【００３２】
図２において、符号Ｉで示される立体領域は、第一受入領域であり、符号IIは第二受入領域である。第一受入領域Ｉは、コネクタ嵌合方向Ａから見た場合、第一相手コネクタ２の嵌合部を受け入れるのに用いられる領域であり、第二受入領域IIは他の相手コネクタ、すなわち第二相手コネクタ３の嵌合部を受け入れるのに用いられる領域である。本発明では、第一相手コネクタ２の嵌合部の方が第二相手コネクタ３の嵌合部よりも外形が大きく、前者のための第一受入領域Ｉ内に後者のための第二受入領域IIが内在するような、互いの大きさそして位置関係となっている。したがって、図１のハウジング１０では、大きい方の第一受入領域Ｉの大きい形状で、両相手コネクタ２，３に共用して用いられる嵌合口が形成されている。
【００３３】
図２において、上記第一受入領域Ｉ外で該第一受入領域Ｉの側方に、該第一受入領域Ｉと連通してシールド板３０の弾性変位部のための変位許容領域IIIが形成されている。したがって、上記第二受入領域IIが内在する第一受入領域Ｉと該変位許容領域IIIの両領域を合わせた空間が上記凹部１１としてハウジング１０に形成されている。変位許容領域IIIは、第一受入領域Ｉの側方に位置する変位許容領域IIIとせずとも、第一受入領域Ｉの奥側に延出して位置する変位許容領域III’としてもよい。
【００３４】
図１及び図４（Ａ）に見られるように、島状の端子配置部１２の上面には、端子２０の接触部２１を配置するための端子配列溝１３が形成されている。端子２０は、図４（Ａ)のごとく、山型状の接触部２１と、ハウジング１０の奥部方向に延びる被保持部２２と、ハウジング１０外で下方に屈曲されその下端がクランク状にされて水平部をなす接続部２３とを有している。山型の上記接触部２１は、その頂部が上記端子配列溝１３から上方に突出していて、上記頂部の前後部分は端子配列溝１３内に収まっている。端子２０は、ハウジング１０の奥部壁部１４側（後方）から挿入されて組み立てられており、上記該奥部壁部１４の上面、さらには、奥部壁部１４の外面に形成された保持溝にて保持されている。かくして、保持された状態で、接続部２３は、ハウジング１０の下面と同じレベルにあり、コネクタ１が回路基板上に配されたときに、回路基板の対応回路部と半田接続可能となる。このように配列された一連の端子２０は、第一相手コネクタ２そして第二相手コネクタ３のいずれに対しても、共用される。本実施形態においては、コネクタ１を回路基板に対して水平に取り付けているが回路基板に対して垂直に取り付けてもよい。
【００３５】
上記ハウジング１０は、その上面そして下面に、両側縁そして相手コネクタ側となる前縁で縁どりされて段部をなし、縁どりで囲まれた部分が、シールド板３０の板厚に相当する深さだけ没したシールド板配置部１５，１６をそれぞれ形成している。
【００３６】
シールド板３０は、図３によく見られるように、金属板を、例えば抜き加工で外形取りした後に屈曲加工して作られている。このシールド板３０は、上板部３１、下板部３２、上板部３１と下板部３２を側部で連結している側板部３３、該側板部３３をハウジングの奥部側縁部で屈曲して前方に延びる弾性変位部４２が形成された腕状部３４とを有している。
【００３７】
上記上板部３１は、後縁側の複数箇所に、内側に屈曲され前方に延びる接触腕３５を有し、相手コネクタ嵌合時に、該接触腕３５が該相手コネクタの上面のシールド板と弾性接触するようになっている。また、上記上板部３１は、前縁側の複数箇所に、窓部３６そして固定腕３７を有している。窓部３６は、上記接触腕３５が上記相手コネクタのシールド板と係合するときに該接触腕３５の先端の変位を可能とするためのものである。固定腕３７は、若干下方に屈曲されてから前方に延びており、その上面には、突起３７Ａが形成されている。該固定腕３７は、ハウジング１０の上面前縁に形成された段部に、後方に開口されたスリット（図示せず）へ圧入されてハウジングへの取付けに寄与する。
【００３８】
下板部３２にも、上記上板部３１と同様に、接触腕３８、窓部３９、固定腕４０を有している。これらの接触腕３８、窓部３９、固定腕４０は、上板部３１の接触腕３５、窓部３６、固定腕３７に比し、配設位置がコネクタ幅方向（端子配列方向）でずれて設定されているものの、それら自体は上板部３１ものと上下対称の形状をなしているだけで同様に形成されており、機能も上板部における場合と同じである。
【００３９】
側板部３３は、板厚方向にクランク状に屈曲された上部３３Ａと下部３３Ｂとを有し、シールド板３０が後方からハウジング１０へ取り付けられたとき、上部３３Ａがハウジング１０の内面側（凹部１１の側壁内面側）に、下部３３Ｂがハウジング１０の外面側に位置するようになっている（図６参照）。腕状部３４は、上記下部３３Ｂの後縁側から該下部３３Ｂの内面と板面同士が平行をなすように後部４１が延びていて、又、嵌合口奥部から開口へ向けて延びていて、板厚方向に弾性変位可能となっており、該腕状部３４の前部が板厚方向にクランク状に屈曲されてハウジング１０の凹部１１の内方側に突き出す弾性変位部４２をなしている。上記後部４１は、コネクタ嵌合方向から見たとき、既述のハウジングの凹部１１内の第一受入領域Ｉ外で変位許容領域III内に位置しており、上記弾性変位部４２は該変位許容領域IIIから第一受入領域Ｉ内へ進入して位置している。また、上記後部４１そして弾性変位部４２は、第二受入領域IIとの関係では、該第二受入領域II外にあって、該弾性変位部４２の上縁４２Ａが該第二受入領域下側縁に近接している。このような弾性変位部４２は、第一受入領域Ｉで受け入れられる第一相手コネクタに対しては、該第一受入領域Ｉへ突き出す部分の板面で第一相手コネクタにより押圧されて側方へ弾性変位し、第二受入領域IIで受け入れられる第二相手コネクタに対しては、第二相手コネクタにより押圧されないので、自らは何ら変位することなく、第二相手コネクタの嵌入を許容し、その嵌入の際、上記上縁（板厚面）で第二相手コネクタを上下方向で規制しつつ嵌入案内する規制部４２Ａを形成している。
【００４０】
上記弾性変位部４２の前端４２Ｃは、図８（Ａ）でも判るように、ハウジング１０の凹部１１の開口縁裏面側に位置しており、相手コネクタの進入の際に、相手コネクタは上記前端４２Ｃに衝突せず、弾性変位部４２の前端側斜面４２Ｂで案内されるようになっている。
【００４１】
これに対し、第一相手コネクタ２は、図１にも見られるように、前方に嵌合凹部５１が形成されたハウジング５０を有し、その側端部前面にはテーパ状のガイド部５２が設けられている。上記嵌合凹部５１は、上記コネクタ１の島状の端子配置部１２を受け入れ、これと同時に、嵌合部５０Ａをなすハウジング５０の前部周壁と上記ガイド部５２が、コネクタ１の端子配置部１２を取り囲む凹部１１の空間である第一受入領域Ｉへ進入する。上記嵌合凹部５１の上辺を形成する上壁の内面には、コネクタ１の端子２０の接触部２１と接触する端子５３（図４（Ａ）参照）の接触部５３Ａが上記コネクタ１の端子２０に対応して配列されている。該端子５３の後部は、ハウジングの内方空間で、平型導体Ｐ１と接続されていて、該平型導体Ｐ１はハウジング外へ後方に延出している。
【００４２】
上記第一相手コネクタ２は、金属板製の上ケース５５、下ケース５６から成るシールドケース５４がハウジング５０の本体部５０Ｂに取り付けられている。上ケース５５と下ケース５６はそれらの後部で互いに接触し、上ケース５５はハウジングの嵌合部５０Ａの前端近傍まで達していて、該上ケース５５の接触突起５５Ａでコネクタ１のシールド板３０の接触部３５と接触可能となっている。また、上記上ケース５５は、上面に上記接触突起５５Ａを有すると共に、ハウジング５０の本体部５０Ｂの窓部５７から進入する接触片５８を有し、上記平型導体Ｐ１の上面のグランド層と接触している。
【００４３】
もう一つの相手コネクタ、すなわち第二相手コネクタ３は、図４（Ｂ）に見られるように、嵌合部６０Ａが第一相手コネクタ２の嵌合部５０Ａよりも薄く形成されており、該第一相手コネクタ２の嵌合部５０Ａの下半分を切り落としたような形態となっている。したがって、嵌合部６０Ａは、コネクタ１の凹部１１の上半分、すなわち島状の端子配置部１２よりも上方の空間で形成される第二受入領域IIに受け入れられる。
【００４４】
上記嵌合部６０Ａは、ハウジング６０の板状部６２の上面にシールド板６３をそして下面に平型導体Ｐ２が配置されている。側端には、第一相手コネクタ２のガイド部５１よりも高さ寸法の小さいそしてテーパ先端を有するガイド部６１が設けられている。このガイド部６１の底面はコネクタ１の腕状部３４の弾性変位部４２の上縁の直上に位置するレベルにある。
【００４５】
嵌合部６０Ａよりも後方に位置するハウジングの本体部６０Ｂは嵌合部６０Ａよりも厚く形成されていて、上記シールド板６３そして平型導体Ｐ２を包囲している。シールド板６３には接触片６４が設けられていて、上記平型導体Ｐ２の上面にグランド層と接触している。上記ハウジング６０は、可撓部６５で一体に回動可能に連結形成された蓋状の下部ハウジング６６により、下側から上記平型導体Ｐ２を覆っている。
【００４６】
次に、このような本実施形態のコネクタ１に対して、第一相手コネクタ２そして第二相手コネクタ３を選択的に嵌合させるときの作動を説明する。
【００４７】
（１）先ず、コネクタ１に対して第一相手コネクタ２を選択し、これを嵌合させる。第一相手コネクタ２の嵌合部５０Ａは、図２に示される凹部１１内の第一受入領域Ｉへ進入する。第一受入領域Ｉへは、シールド板３０と一体形成された腕状部３４の弾性変位部４２が進入している。したがって第一相手コネクタ２の嵌合部５０Ａは、図６にも見られるように、ガイド部５２の側面で上記弾性変位部４２を側方へ圧しながら図８（Ａ）から図８（Ｂ）の状態へ嵌合される。すなわち、腕状部３４は、このガイド部５２からの力を受けて自らは弾性変位して上記嵌合部５０Ａの嵌合の進行を許容する（図６参照）。かくして、コネクタ１の端子２０の接触部２１は図５（Ａ）にも見られるように、第一相手コネクタ２の端子５３の接触部５３Ａと接触し、コネクタ１のシールド板３０の接触腕３５が第一相手コネクタ２のシールドケース５４（上ケース５５）の接触突起５５Ａと接触するようになる。腕状部３４は、シールド板３０と別体として、ハウジングに取り付けられていてもよい。
【００４８】
（２）次に、第一相手コネクタ２に代え、第二相手コネクタ３をコネクタ１に嵌合させる。第二相手コネクタ３の嵌合部６０Ａは、既述のごとく、第二受入領域IIへ進入する。この第二受入領域IIは、コネクタ嵌合方向から見たとき、上記第一受入領域Ｉ内にあり、上記弾性変位部４２はこの第一受入領域Ｉ内に位置してはいるものの上記第二受入領域II外にある。したがって、嵌合部６０Ａは、図７にも見られるように、上記弾性変位部４２を圧することなく、すなわち、弾性変位部４２と干渉することなく、図９（Ａ）から図９（Ｂ）の状態へ向け上記第二受入領域IIへ進入する。その際、上記弾性変位部４２の上縁の規制部４２Ａが上記第二受入領域IIの下側縁に至近して位置しているため、上記規制部４２Ａが嵌合部６０Ａの下辺を案内し、ガタツキのない円滑な嵌入がなされる。かくして、コネクタ１の端子２０の接触部２１は、図５（Ｂ）にも見られるように、第二相手コネクタ３の平型導体Ｐ２の対応接触部と接触し、コネクタ１のシールド板３０の接触腕３５が第二相手コネクタ３のシールド板６３と接触するようになる。かかる第二相手コネクタ３の嵌合時には、コネクタ１の凹部１１は島状の端子配置部１２より下方部分が空所となって残留する（図７参照）。又、弾性変位部が若干弾性変位して第二相手コネクタの嵌合を許容しても良く、この場合、上記弾性変位部は、コネクタ嵌合前の自由状態において、上記弾性変位部の一部が第二受入領域内に進入して位置しているようにしてもよい。このような場合には、コネクタ嵌合時に上記弾性変位部の一部が第二相手コネクタに圧せられて、第二受入領域の限界位置まで弾性変位することとなり、この位置で第二相手コネクタの嵌合を許容すると共に弾性変位部の上縁の規制部が第二受入領域IIの下側縁に至近して位置しているため、同様に位置規制する。
【００４９】
＜第二実施形態＞
第一実施形態では、弾性変位部はシールド板の一部として作られていたが、本実施形態では、ハウジングの一部として作られている点に特徴がある。したがって、本実施形態は、シールド板を弾性変位部なしの単純な形態としたい場合、あるいは、コネクタがシールド板を有していない場合に好適である。
【００５０】
図１０（Ａ）に見られるように、ハウジング１０は、その奥部からハウジング１０の一部として前方に延びる腕状部７１を有し、その前部が突き出た弾性変位部７２を形成している。この弾性変位部７２は、図８（Ａ）の第一実施形態の場合と同様に、前端７２Ｃはハウジング１０の凹部１１の開口縁の裏側に位置していて、相手コネクタが上記前端７２Ｃに衝突せず、その近傍の前端斜面７２Ｂで案内されるようになっている。
【００５１】
このような第二実施形態においても、第一相手コネクタ２が嵌合するときには、上記腕状部７１はその弾性変位部７２にて第一相手コネクタ２により押圧されて弾性変位することにより、図１０（Ｂ）のごとく該第一相手コネクタ２の嵌合を許容する。
【００５２】
図１１（Ａ）のごとく第二相手コネクタ３が嵌合するときには、図１１（Ｂ）に見られるように、第二相手コネクタ３は上記弾性変位部７２を圧することなく、そのまま嵌合が進む。その際、相手コネクタ３が弾性変位部７２の上縁たる規制部７２Ａ（紙面に平行な面）にて規制されつつ嵌合案内されることは、第一実施形態における弾性変位部４２の上縁たる規制部４２Ａの場合と同じである。
【００５３】
＜第三実施形態＞
第一そして第二実施形態では、弾性変位部は、ハウジング１０の凹部１１の側方に位置して設けられていたが、本実施形態では、凹部１１の奥部に位置する変位許容領域III’に設けられている点に特徴がある。しかも、図１２に示される本実施形態では、弾性変位部は、シールド板とも、ハウジングとも、一体にはなっておらず、別体に形成されている。
【００５４】
図１２（Ａ）において、変位許容領域III’がハウジングの奥部に没入部８１として形成されている。この没入部８１には圧縮コイルばね８２の一端側が収められており、該コイルばね８２は、自由状態で凹部１１の前方開口側に延びている。該コイルばね８２の他端側には、前端斜面部８３Ａが形成された可動駒８３が前後方向に移動可能に取り付けられている。上記没入部８１外で前方に延びるコイルばね８２の部分及び上記可動駒８３は、第一受入領域Ｉ内にはあるが第二受入領域II外にある。すなわち、第二受入領域IIよりも下方（図１２（Ａ）において紙面に対して直角な方向で紙面に対し裏面側）に位置している。
【００５５】
かかる本実施形態で第一相手コネクタ２が嵌合されるときには、図１２（Ｂ）のごとく、第一相手コネクタ２のテーパ状ガイド部５２が上記駒８３を嵌合方向に圧して、該駒８３を同方向に移動せしめると共にコイルばね８２を圧縮して上記没入部８１へ押し込める。かくして、第一相手コネクタ２の嵌合のための第一受入領域Ｉが確保され、嵌合がなされる。
【００５６】
次に、図１３（Ａ）のごとく、第二相手コネクタ３が嵌合されるときには、図１３（Ｂ）に見られるように、第二受入領域II外（第二受入領域IIよりも下方）に位置する、駒８３そしてコイルばね８２は、第二相手コネクタ３と干渉することなく、すなわち、駒８３の移動そしてコイルばね８２の圧縮を伴うことなく、該第二相手コネクタ３の嵌合を許容する。その際、上記駒８３の上面は規制部８３Ａとして機能し、相手コネクタ３の下面を規制しつつ嵌合案内を行なう。
【００５７】
以上の第一ないし第三実施形態では、コネクタ幅方向（端子配列方向）の一端側での弾性変位部を図示したが、弾性変位部は同方向で両端側に設けられていることとすれば、相手コネクタの嵌合姿勢がさらに安定する。
【産業上の利用可能性】
【００５８】
二つの相手コネクタを選択して受け入れるコネクタの分野で利用可能である。
【符号の説明】
【００５９】
１  コネクタ                        ３４；７１  腕状部
２  第一相手コネクタ                ４２；７２；８２（８３）  弾性変位部  
３  第二相手コネクタ                ４２Ａ；７２Ａ；８３Ａ  規制部
１０  ハウジング                    ５０Ａ；６０Ａ  嵌合部
２０  端子                          Ｉ  第一受入領域
２１  接触部                        II  第二受入領域
３０  シールド板                    III，III’  変位許容領域
【図１】
2010182505.tif 000003
【図２】
2010182505.tif 000004
【図３】
2010182505.tif 000005
【図４】
2010182505.tif 000006
【図５】
2010182505.tif 000007
【図６】
2010182505.tif 000008
【図７】
2010182505.tif 000009
【図８】
2010182505.tif 000010
【図９】
2010182505.tif 000011
【図１０】
2010182505.tif 000012
【図１１】
2010182505.tif 000013
【図１２】
2010182505.tif 000014
【図１３】
2010182505.tif 000015